(57)【要約】  【課題】各登録店舗（遊技場）の関係者が要求する集計データを配信できると共に、自店舗のウェブページを持つ登録店舗においては、自店舗でウェブページを作成したり、自店舗の集計データの中から自店舗が宣伝のためにウェブページで一般公開したいデータを抽出して該データを外部のウェブページ作成業者に定期的に提供したりする必要がないような、店舗データ集計システムを提供する。  【解決手段】集計コンピュータにおいては、各遊技場の関係者が要求する集計項目を設定することができ、該設定された集計項目に応じて各遊技場に対する遊技データの集計処理が実行されて、各遊技場の関係者が要求する集計データが配信されると共に、自店舗の集計データの中から自店舗が宣伝のためにウェブページで一般公開したいデータを設定することができ、該設定された一般公開用のデータがウェブサーバに伝送される。【選択図】        図６
2005339280.tif 000002
【特許請求の範囲】
【請求項１】
各登録店舗に設置され、該登録店舗の営業中において発生する各種営業データを収集する一又は複数の店舗内端末と、
該店舗内端末により収集された各種営業データを各登録店舗から収集すると共に、該収集した各種営業データを当該各登録店舗に対する営業データとして集計処理を行う集計コンピュータと、
からなる店舗データ集計システムであって、
前記集計コンピュータは、
各登録店舗が自店舗の管理のために当該集計コンピュータに対して要求する前記集計処理の処理内容を設定するための集計処理内容設定手段と、
該集計処理内容設定手段により設定された各登録店舗の集計処理の処理内容に応じて、当該各登録店舗に対する営業データの集計処理を実行する集計処理手段と、
該集計処理手段により集計処理された各登録店舗の集計データのうち、当該各登録店舗が自店舗の集計データとして該登録店舗の関係者以外に公開を許容する公開許容データを設定するための公開許容データ設定手段と、
前記集計処理手段により集計処理された各登録店舗の集計データを、当該各登録店舗の関係者が自店舗の集計データとして閲覧できるように配信する集計データ配信手段と、
前記集計処理手段により集計処理された各登録店舗の集計データの中から、前記公開許容データ設定手段により設定された当該登録店舗の設定内容に応じて、前記公開許容データを抽出する公開許容データ抽出手段と、
該公開許容データ抽出手段により抽出された各登録店舗の公開許容データを、ウェブサーバに対してデータ伝送するための公開許容データ伝送手段と、
を備えることを特徴とする店舗データ集計システム。
【請求項２】
請求項１に記載した店舗データ集計システムであって、
前記登録店舗には、該登録店舗の営業中において稼働する営業機器が複数設置され、
前記店舗内端末は、前記各営業機器に対する各種営業データを収集し、
前記集計処理内容設定手段による処理内容には、
前記店舗内端末により収集された各種営業データの中から各営業機器に対して集計する複数の営業データを設定するための営業機器別集計データ設定手段と、
前記各営業機器をグループ別に振り分け設定するための営業機器グループ設定手段と、
前記店舗内端末により収集された各種営業データの中から該営業機器グループ設定手段により設定された営業機器グループに対して集計する複数の営業データを設定するための営業機器グループ別集計データ設定手段と、を含み、
前記集計処理手段は、前記各営業機器に対して、前記営業機器別集計データ設定手段により設定された営業データの集計処理を実行すると共に、前記営業機器グループ設定手段により設定された各営業機器グループに対して、前記営業機器グループ別集計データ設定手段により設定された営業データの集計処理を実行することを特徴とする店舗データ集計システム。
【請求項３】
請求項２に記載した店舗データ集計システムであって、
前記集計処理内容設定手段による処理内容には、前記営業機器別集計データ設定手段及び前記営業機器グループ別集計データ設定手段により設定された複数の営業データを帳票として表示するに際しての各々の営業データの表示順序を設定するための営業データ表示順序設定手段を含み、
前記集計処理手段は、該営業データ表示順序設定手段により設定された表示順序に応じた集計処理を実行することを特徴とする店舗データ集計システム。
【請求項４】
請求項１〜３のいずれか１つに記載した店舗データ集計システムであって、
前記集計コンピュータは、前記各登録店舗の店舗情報を公開するための当該各登録店舗用のウェブページを作成するウェブページ作成手段をさらに備え、
該ウェブページ作成手段は、少なくとも前記公開許容データ抽出手段により抽出された各登録店舗の公開許容データを当該各登録店舗用のウェブページに更新する公開許容データ更新手段をさらに含み、
前記公開許容データ伝送手段は、前記公開許容データとして、前記ウェブページ作成手段により作成されたウェブページのデータを、前記ウェブサーバに対してデータ伝送することを特徴とする店舗データ集計システム。
【請求項５】
請求項１〜４のいずれか１つに記載した店舗データ集計システムであって、
前記集計処理内容設定手段による処理内容には、
複数の登録店舗をグループ化する登録店舗グループ設定手段と、
該登録店舗グループ設定手段により設定された登録店舗グループに属する各登録店舗に対して集計する複数の営業データを設定するための登録店舗グループ別集計データ設定手段と、を含み、
前記集計処理手段は、前記登録店舗グループ設定手段により設定された登録店舗グループに属する各登録店舗に対して、前記登録店舗グループ別集計データ設定手段により設定された営業データの集計処理を実行することを特徴とする店舗データ集計システム。
【請求項６】
請求項５に記載した店舗データ集計システムであって、
前記集計処理内容設定手段による処理内容には、
前記登録店舗グループ別集計データ設定手段により設定された複数の営業データを帳票として表示するに際しての各々の営業データの表示順序を、前記登録店舗グループ設定手段により設定された登録店舗グループに属する各登録店舗について統一的に設定するための統一設定手段と、
前記登録店舗グループについての集計データの配信先を設定する登録店舗グループ集計データ配信先設定手段と、を含み、
前記集計処理手段は、前記統一設定手段により設定された統一的な表示順序に応じて、前記登録店舗グループ設定手段により設定された登録店舗グループに属する各登録店舗に対する営業データの集計処理を実行するグループ化集計処理を行い、
前記集計データ配信手段は、該集計処理手段によりグループ化集計処理された前記登録店舗グループについての集計データを、前記登録店舗グループ集計データ配信先設定手段により設定された配信先に対して配信することを特徴とする店舗データ集計システム。
【請求項７】
請求項１〜６のいずれか１つに記載した店舗データ集計システムであって、
前記公開許容データ設定手段は、各登録店舗別に、アクセス権を有するアクセス者のみに公開を許容する前記公開許容データと、アクセス権の有無に拘わらず公開を許容する前記公開許容データと、を設定することを特徴とする店舗データ集計システム。
【発明の詳細な説明】
【技術分野】
【０００１】
本発明は、登録店舗の営業中において発生する各種営業データの集計処理を集計コンピュータにて行う店舗データ集計システムに係り、特に該集計コンピュータから、各登録店舗の集計データを当該登録店舗の関係者に配信すると共に、各登録店舗の集計データのうちの該登録店舗の関係者以外に公開を許容する公開許容データをウェブサーバに対して伝送する店舗データ集計システムに関する。
【背景技術】
【０００２】
従来より、特許文献１に示すように、各遊技場に設置されている遊技台に対応して該遊技台の遊技データを収集する台コンピュータが設けられ、台コンピュータは、ルータを介してインターネットを通じて管理センタに設置されている管理コンピュータと接続され、管理コンピュータは、前記台コンピュータが収集した遊技台データを収集して各遊技場に対する遊技台データとして集計処理を行い、該集計処理された遊技台データを管理コンピュータにアクセスした通信端末で閲覧できるようにした遊技台データ管理システムが知られている。これによれば、遊技台データの集計処理を行うホールコンピュータを各遊技場に設置する必要がないので、大幅なコスト削減が可能になる。また特許文献２に示すように、遊技機に関する情報が記載された情報提供用ウェブページを作成してインターネット経由で配信・公開し、利用者がインターネットに接続可能な端末装置を利用することによって遊技情報の提供を受けることができるような遊技場情報提供システムも知られている。
【０００３】
【特許文献１】特開２００４−８９６１９号公報（第５〜７頁，図１，図２）
【特許文献２】特開２００２−３３６５２９号公報（第３〜５頁，図１〜図５）
【発明の開示】
【発明が解決しようとする課題】
【０００４】
上記特許文献１に示すように、自店舗のデータ集計を管理センタに委託することで、自店舗におけるホールコンピュータの導入費用の削減やメンテナンスの手間の削減を達成するシステムを導入する店舗がある。また上記特許文献２に示すように、近年、集客効果の向上を狙って、自店舗の情報をウェブページに公開する店舗が増えており、また公開する情報も、店舗の宣伝のみならず、遊技機の稼働に直結した営業データの集計値を公開することにより、利用者の興味を引くような内容に構成したウェブページを作成するシステムを導入する店舗がある。
【０００５】
しかしながら、上記特許文献１に示すように、各店舗に対するデータ集計を管理センタの管理コンピュータで集中的に集計処理を行うシステムを導入しているような店舗にとっては、管理センタで自店舗のデータ集計が行われているにも拘わらず、上記特許文献２に示すようなシステムを別途導入して自店舗で前記ウェブページを作成したり、又は管理コンピュータから提供される自店舗の集計データの中から該自店舗が宣伝のためにウェブページで公開したいデータを抽出して該データを外部のウェブページ作成業者に定期的に提供したりする必要があることから、自店舗のウェブページを持つ店舗にとって決して便利なシステムではなかった。
【０００６】
本発明は、このような背景のもとになされたものであり、その目的は、登録店舗の営業中において発生する各種営業データの集計処理を集計コンピュータにて行う店舗データ集計システムにおいて、各登録店舗の関係者が要求する集計データを配信できると共に、自店舗のウェブページを持つ登録店舗においては、自店舗でウェブページを作成したり、自店舗の集計データの中から自店舗が宣伝のためにウェブページで一般公開したいデータを抽出して該データを外部のウェブページ作成業者に定期的に提供したりする必要がないような、店舗データ集計システムを提供することにある。
【課題を解決するための手段】
【０００７】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００８】
まず請求項１に係る発明は、各登録店舗（遊技場）に設置され、該登録店舗の営業中において発生する各種営業データ（遊技データ）を収集する一又は複数の店舗内端末（台端末１０，中継コンピュータ２０，及び場内コンピュータ３０）と、該店舗内端末により収集された各種営業データを各登録店舗から収集すると共に、該収集した各種営業データを当該各登録店舗に対する営業データとして集計処理を行う集計コンピュータ（４０）と、からなる店舗データ集計システム（１）であって、前記集計コンピュータは、各登録店舗が自店舗の管理のために当該集計コンピュータに対して要求する前記集計処理の処理内容を設定するための集計処理内容設定手段（ディスプレイ４３及び入力装置４４）と、該集計処理内容設定手段により設定された各登録店舗の集計処理の処理内容に応じて、当該各登録店舗に対する営業データの集計処理を実行する集計処理手段（制御部４２）と、該集計処理手段により集計処理された各登録店舗の集計データのうち、当該各登録店舗が自店舗の集計データとして該登録店舗の関係者以外に公開を許容する公開許容データを設定するための公開許容データ設定手段（ディスプレイ４３及び入力装置４４）と、前記集計処理手段により集計処理された各登録店舗の集計データを、当該各登録店舗の関係者が自店舗の集計データとして閲覧できるように配信する集計データ配信手段（通信部４１）と、前記集計処理手段により集計処理された各登録店舗の集計データの中から、前記公開許容データ設定手段により設定された当該登録店舗の設定内容に応じて、前記公開許容データを抽出する公開許容データ抽出手段（制御部４２）と、該公開許容データ抽出手段により抽出された各登録店舗の公開許容データを、ウェブサーバに対してデータ伝送するための公開許容データ伝送手段（通信部４１）と、を備えることを特徴とする店舗データ集計システムである。
【０００９】
また請求項２に係る発明は、請求項１に記載した店舗データ集計システム（１）であって、前記登録店舗（遊技場）には、該登録店舗の営業中において稼働する営業機器（パチンコ機Ｐ，玉貸ユニットＵ）が複数設置され、前記店舗内端末（台端末１０，中継コンピュータ２０，及び場内コンピュータ３０）は、前記各営業機器に対する各種営業データ（遊技データ）を収集し、前記集計処理内容設定手段（ディスプレイ４３及び入力装置４４）による処理内容には、前記店舗内端末により収集された各種営業データの中から各営業機器に対して集計する複数の営業データを設定するための営業機器別集計データ設定手段と、前記各営業機器をグループ別に振り分け設定するための営業機器グループ設定手段と、前記店舗内端末により収集された各種営業データの中から該営業機器グループ設定手段により設定された営業機器グループに対して集計する複数の営業データを設定するための営業機器グループ別集計データ設定手段と、を含み、前記集計処理手段（制御部４２）は、前記各営業機器に対して、前記営業機器別集計データ設定手段により設定された営業データの集計処理を実行すると共に、前記営業機器グループ設定手段により設定された各営業機器グループに対して、前記営業機器グループ別集計データ設定手段により設定された営業データの集計処理を実行することを特徴とする店舗データ集計システムである。
【００１０】
また請求項３に係る発明は、請求項２に記載した店舗データ集計システム（１）であって、前記集計処理内容設定手段（ディスプレイ４３及び入力装置４４）による処理内容には、前記営業機器別集計データ設定手段及び前記営業機器グループ別集計データ設定手段により設定された複数の営業データ（遊技データ）を帳票として表示するに際しての各々の営業データの表示順序を設定するための営業データ表示順序設定手段を含み、前記集計処理手段（制御部４２）は、該営業データ表示順序設定手段により設定された表示順序に応じた集計処理を実行することを特徴とする店舗データ集計システムである。
【００１１】
また請求項４に係る発明は、請求項１〜３のいずれか１つに記載した店舗データ集計システム（１）であって、前記集計コンピュータ（４０）は、前記各登録店舗（遊技場）の店舗情報を公開するための当該各登録店舗用のウェブページを作成するウェブページ作成手段（制御部４２）をさらに備え、該ウェブページ作成手段は、少なくとも前記公開許容データ抽出手段により抽出された各登録店舗の公開許容データを当該各登録店舗用のウェブページに更新する公開許容データ更新手段をさらに含み、前記公開許容データ伝送手段（通信部４１）は、前記公開許容データとして、前記ウェブページ作成手段により作成されたウェブページのデータを、前記ウェブサーバに対してデータ伝送することを特徴とする店舗データ集計システムである。
【００１２】
また請求項５に係る発明は、請求項１〜４のいずれか１つに記載した店舗データ集計システム（１）であって、前記集計処理内容設定手段（ディスプレイ４３及び入力装置４４）による処理内容には、複数の登録店舗をグループ化する登録店舗グループ設定手段と、該登録店舗グループ設定手段により設定された登録店舗グループに属する各登録店舗に対して集計する複数の営業データを設定するための登録店舗グループ別集計データ設定手段と、を含み、前記集計処理手段（制御部４２）は、前記登録店舗グループ設定手段により設定された登録店舗グループに属する各登録店舗に対して、前記登録店舗グループ別集計データ設定手段により設定された営業データの集計処理を実行することを特徴とする店舗データ集計システムである。
【００１３】
また請求項６に係る発明は、請求項５に記載した店舗データ集計システム（１）であって、前記集計処理内容設定手段（ディスプレイ４３及び入力装置４４）による処理内容には、前記登録店舗グループ別集計データ設定手段により設定された複数の営業データを帳票として表示するに際しての各々の営業データの表示順序を、前記登録店舗グループ設定手段により設定された登録店舗グループに属する各登録店舗について統一的に設定するための統一設定手段と、前記登録店舗グループについての集計データの配信先（チェーン店本部６０）を設定する登録店舗グループ集計データ配信先設定手段と、を含み、前記集計処理手段（制御部４２）は、前記統一設定手段により設定された統一的な表示順序に応じて、前記登録店舗グループ設定手段により設定された登録店舗グループに属する各登録店舗に対する営業データの集計処理を実行するグループ化集計処理を行い、前記集計データ配信手段（通信部４１）は、該集計処理手段によりグループ化集計処理された前記登録店舗グループについての集計データを、前記登録店舗グループ集計データ配信先設定手段により設定された配信先に対して配信することを特徴とする店舗データ集計システムである。
【００１４】
さらに請求項７に係る発明は、請求項１〜６のいずれか１つに記載した店舗データ集計システム（１）であって、前記公開許容データ設定手段（ディスプレイ４３及び入力装置４４）は、各登録店舗（遊技場）別に、アクセス権を有するアクセス者（会員）のみに公開を許容する前記公開許容データと、アクセス権の有無に拘わらず公開を許容する前記公開許容データと、を設定することを特徴とする店舗データ集計システムである。
【発明の効果】
【００１５】
まず請求項１に係る店舗データ集計システムによれば、各登録店舗の営業データの集計処理を行う集計コンピュータにおいて、集計処理内容設定手段により、各登録店舗の関係者が要求する集計処理の処理内容を設定することができ、集計処理手段により、該設定された集計処理の処理内容に応じて各登録店舗に対する営業データの集計処理が実行され、集計データ配信手段により、各登録店舗の関係者が要求する集計データを配信するように構成すると共に、公開許容データ設定手段により、自店舗の集計データの中から自店舗が宣伝のためにウェブページで一般公開したいデータを設定することができ、データ伝送手段により、該設定された一般公開用のデータをウェブサーバに伝送するように構成したので、各登録店舗の関係者が要求する集計データを配信できると共に、自店舗のウェブページを持つ登録店舗においては、自店舗でウェブページを作成したり、自店舗の集計データの中から自店舗が宣伝のためにウェブページで公開したいデータを抽出して該データを外部のウェブページ作成業者に定期的に提供したりする手間が省ける。
【００１６】
また請求項２に係る店舗データ集計システムによれば、集計コンピュータにおいて、営業機器グループ設定手段により、各登録店舗の関係者が営業データをグループ化して確認したい営業機器を設定することができると共に、営業機器別集計データ設定手段，営業機器グループ別集計データ設定手段により、該関係者が確認したい営業データを営業機器別，営業機器グループ別に設定することができるので、営業機器別，営業機器グループ別に該関係者が要求する営業データの集計処理が実行される。
【００１７】
また請求項３に係る店舗データ集計システムによれば、集計コンピュータにおいて、営業データ表示順序設定手段により、複数の営業データを帳票として表示するに際しての各々の営業データの表示順序を設定することができるので、各登録店舗の関係者が見易い（見慣れた）形式の集計帳票を配信できる。
【００１８】
また請求項４に係る店舗データ集計システムによれば、集計コンピュータにおいて、ウェブページ作成手段により、各登録店舗の公開許容データに基づいて当該登録店舗用のウェブページが自動的に更新されて当該ウェブページが作成されるので、登録店舗において、公開許容データを手作業で抽出してウェブページの更新を行うといった手間が省ける。
【００１９】
また請求項５に係る店舗データ集計システムによれば、集計コンピュータにおいて、登録店舗グループ設定手段により、営業データをグループ化して確認したい登録店舗（例えばチェーン店）を設定することができると共に、登録店舗グループ別集計データ設定手段により、該チェーン店の本部が確認したい営業データを登録店舗グループ別に設定することができるので、登録店舗グループ別に該本部が要求する営業データの集計処理が実行される。
【００２０】
また請求項６に係る店舗データ集計システムによれば、集計コンピュータにおいて、統一設定手段により、複数の営業データを帳票として出力するに際しての各々の営業データの表示順序を登録店舗グループに属する各登録店舗について統一的に設定することができると共に、登録店舗グループ集計データ配信先設定手段により、登録店舗グループについての集計データの配信先を設定でき、集計処理手段により、該設定された統一的な表示順序で営業データのグループ化集計処理が行われ、集計データ配信手段により、該グループ化集計処理された登録店舗グループについての集計データが前記設定された配信先に配信されるので、チェーン店に属する各登録店舗に対しては、当該登録店舗の関係者が見易い（見慣れた）形式の集計帳票の配信を行うことができると共に、チェーン店の本部に対しては、該チェーン店に属する登録店舗に対する集計データが統一的な形式で配信されるので、該本部が見易い形式の集計帳票を配信できる。
【００２１】
さらに請求項７に係る店舗データ集計システムによれば、集計コンピュータにおいて、公開許容データ設定手段により、アクセス権の有無に応じて公開を許容するデータを設定するので、例えば会員制度を有する登録店舗においては、公開許容データを会員に対するサービスに利用することができる。
【発明を実施するための最良の形態】
【００２２】
以下、本発明の実施の形態を、図面を参照して説明する。本発明に係る店舗データ集計システム１は、図１に示すように、登録店舗（例えば遊技場）の営業中において発生する各種営業データ（例えば遊技データ）の集計処理を集計コンピュータ４０にて行うものであり、特に該集計コンピュータ４０から、各登録店舗の集計データを当該登録店舗の関係者に配信すると共に、各登録店舗の集計データのうちの該登録店舗の関係者以外に公開を許容する公開許容データをウェブサーバ５０に対して伝送するものである。
【００２３】
まず、図１〜図１４を参照して、店舗データ集計システム１の構成について説明する。なお、以下においては、該店舗データ集計システム１に登録した店舗である登録店舗が複数の遊技場Ａ〜Ｚであり、該遊技場の営業中において稼働する営業機器がパチンコ機Ｐ及び玉貸ユニットＵであり、該遊技場の営業中において発生する営業データが遊技データである例について説明する。また各遊技場Ａ〜Ｚ内の構成は略同様であるため、以下においては、遊技場Ａ内の構成についてのみ図示及び説明し、遊技場Ｂ〜Ｚ内の構成については図示及び説明を省略する。
【００２４】
店舗データ集計システム１は、図１に示すように、各遊技場Ａ〜Ｚに設置され、該遊技場の営業中において発生する各種遊技データを収集する複数の店舗内端末として機能する台端末１０，中継コンピュータ２０，及び場内コンピュータ３０と、該店舗内端末により収集された各種遊技データを各遊技場から収集すると共に、該収集した各種遊技データを当該各遊技場に対する遊技データとして集計処理を行う集計コンピュータ４０と、からなる。
【００２５】
この集計コンピュータ４０は、例えば後述するプリペイドカードの発行及び管理を行うカード会社に設置されており、光ファイバー，ＣＡＴＶ，又はｘＤＳＬ（例えばＡＤＳＬ）等の有線通信技術や、ＦＷＡ，又はＩＭＴ−２０００等の無線通信技術を用いて実現される、いわゆるブロードバンド回線によって、場内コンピュータ３０と通信可能とされている。また集計コンピュータ４０は、ウェブサーバ５０，及びチェーン店本部６０と通信可能とされており、該ウェブサーバ５０は、インターネット２を介して、遊技者が操作可能なパソコン３ａや携帯端末３ｂと通信可能とされている。ここでパソコン３ａや携帯端末３ｂは、各種の情報を表示可能な表示装置であるディスプレイや各種の情報を入力可能な入力装置であるキーボード等を備えており、インターネット接続機能を有する周知のものである。
【００２６】
各遊技場Ａ〜Ｚ内には、図示しない遊技島において、パチンコ機Ｐ及び玉貸ユニットＵが、該パチンコ機Ｐの機種等に従って所定の位置に配置されている。ここで遊技島は、島番号（１番島，２番島…）によって個々に識別可能とされている。またパチンコ機Ｐ及び玉貸ユニットＵは、台番号（0001番台，0002番台…）によって個々に識別可能とされている。これらパチンコ機Ｐ及び玉貸ユニットＵは、後述するように、台端末１０及び中継コンピュータ２０を介して、場内コンピュータ３０と通信可能とされている。
【００２７】
パチンコ機Ｐは営業機器の一例であって、遊技媒体であるパチンコ玉を遊技領域に打ち込むことにより遊技を行う遊技機であり、ここでは対応する玉貸ユニットＵと通信可能であり、パチンコ玉を貸与する玉貸処理が、玉貸ユニットＵとの間でパチンコ玉の貸与に関する信号のやり取りによって行われる、いわゆるＣＲ式のパチンコ機である。このパチンコ機Ｐにおける遊技領域には、一般入賞口（チャッカ入賞口），始動入賞口（スタート入賞口），大入賞口（アタッカ）等の複数の入賞口や、複数種類の識別情報である図柄を可変表示可能な可変表示装置等が設けられている。このパチンコ機Ｐからは、遊技データとして、以下に説明する各種の信号が出力される。
【００２８】
まず遊技領域に打ち込まれて遊技に使用されたパチンコ玉（以下「打込玉」という。）が始動入賞口に入賞した場合には、可変表示装置の可変表示が開始されて所定時間の経過後に該可変表示が停止すると共に、該可変表示の停止を特定可能な情報として、１パルスのスタート信号が出力される。
【００２９】
また可変表示装置の表示結果が予め定められた所定態様となった場合には、遊技者にとって有利な遊技状態（いわゆる特賞＝大当り）が発生して、閉成されていた大入賞口が開成されて前記打込玉が大入賞口に入賞可能になると共に、該特賞の発生を特定可能な情報として、該特賞の発生から終了までの間において継続的な特賞信号が出力される。
【００３０】
また可変表示装置の表示結果が予め定められた特別の所定態様となった場合には、前記特賞の発生確率が通常確率から高確率に変動する確率変動状態（以下単に「確変」という。）が発生して、該確変の発生を特定可能な情報として、該確変の発生から終了までの間において継続的な確変信号が出力される。
【００３１】
また遊技領域に打ち込まれた打込玉が各入賞口に入賞した場合には、各入賞口に応じた所定数のパチンコ玉が賞球として払い出されると共に、該賞球数を特定可能な情報として、１０個の賞球が払い出される毎に１パルスのセーフ信号が出力される。
【００３２】
また各入賞口に入賞した打込玉及びいずれの入賞口にも入賞しなかった打込玉は、パチンコ機Ｐの背後における遊技島に設けられたアウトタンクに導かれ、該アウトタンクに付設された打込玉カウンタにて打込玉数が計数されると共に、該打込玉数を特定可能な情報として、１０個のパチンコ玉が計数される毎に１パルスのアウト信号が出力される。
【００３３】
さらにパチンコ機Ｐからは、一般入賞口への入賞を示すチャッカ入賞信号や、始動入賞口への入賞を示すスタート入賞信号や、大入賞口への入賞を示す大入賞口信号や、ゲートの通過を示すゲート信号や、前面扉の開放を示すドアオープン信号等も出力される。
【００３４】
なお遊技機は、パチンコ機Ｐには限られず、遊技媒体であるメダルを賭数として使用することにより遊技を行うスロットマシンであっても良く、この場合には、レバーの操作に基づいて前記スタート信号及び前記アウト信号（メダル１枚＝１パルス）が出力され、メダルの払出に基づいて前記セーフ信号（メダル１枚＝１パルス）が出力され、ＢＩＧボーナスの発生に基づいて該ＢＩＧボーナスの発生を示す前記特賞信号が出力され、ＲＥＧボーナスの発生に基づいて該ＲＥＧボーナスの発生を示すＲＥＧボーナス信号が出力される。
【００３５】
玉貸ユニットＵも営業機器の一例であって、パチンコ機Ｐに対応して設けられ、遊技媒体であるパチンコ玉を貸与する玉貸処理を行う貸与処理機であり、ここでは対応するＣＲ式のパチンコ機Ｐと通信可能であり、遊技に使用可能な遊技用価値の大きさ（例えばカード度数）が記録されている遊技用記録媒体（例えばプリペイドカード）を受け付け、該受け付けた遊技用記録媒体の記録情報を読み取り、該読み取った記録情報から特定される遊技用価値の大きさの範囲内における所定の大きさの遊技用価値に相当するパチンコ玉をパチンコ機Ｐから払い出して貸与する玉貸処理が、パチンコ機Ｐとの間でパチンコ玉の貸与に関する信号のやり取りによって行われる、いわゆるＣＲ式の玉貸ユニット（ＣＲサンド）である。この玉貸ユニットＵからは、遊技データとして、パチンコ玉の貸与が行われたことに基づいて、該貸与に使用された遊技用価値の大きさである貸与金額を特定可能な情報として、貸与金額１００円毎に１パルスのＣＲサンド信号が出力される。
【００３６】
なお玉貸ユニットＵは、ＣＲ式の玉貸ユニットには限られず、現金式のパチンコ機に対応して設けられ、貨幣を受け付け、該受け付けた貨幣の金額に相当するパチンコ玉を内部から払い出して貸与する玉貸処理が行われる、いわゆる現金式の玉貸ユニット（現金サンド）であっても良く、この場合には、パチンコ玉の貸与が行われたことに基づいて該貸与に使用された貨幣の金額を示すサンド現金合計信号が出力される。また玉貸ユニットＵにおいて、いわゆる貯玉再プレイが可能である場合には、該貯玉再プレイが行われたことに基づいて該貯玉再プレイに使用されたパチンコ玉を示す再プレイ信号が出力される。またＣＲ式の玉貸ユニットＵにおいて、貨幣を受け付けてのパチンコ玉の貸与が可能である場合には、該貸与に使用された貨幣の金額を示すＱＣ売上信号が出力される。なお貸与処理機は、玉貸ユニットＵには限られず、スロットマシンに対応して設けられ、遊技媒体であるメダルを貸与するメダル貸処理を行うメダル貸ユニットであっても良い。
【００３７】
さらにパチンコ機Ｐに対応して設けられる呼出ランプ装置（図示外）からは、遊技データとして、呼出ボタンの操作を示す呼出信号が出力される。またパチンコ機Ｐに対応して、遊技者に対して付与されたパチンコ玉を計数する各台計数機が設けられている場合には、遊技データとして、該計数されたパチンコ玉数を示す各台計数機信号が出力される。
【００３８】
台端末１０は前記店舗内端末の一例であって、遊技島に設けられ、パチンコ機Ｐや玉貸ユニットＵ等から出力される各種遊技データを収集して、中継コンピュータ２０に対して出力するものである。この台端末１０は、複数の接続端子（例えばＡ〜Ｄの４つの接続端子）を備え、各接続端子に各パチンコ機Ｐや各玉貸ユニットＵ等を接続することにより、該接続された機器との間で通信可能なものである。
【００３９】
中継コンピュータ２０も前記店舗内端末の一例であって、遊技場内の所定箇所（例えば管理事務所等）に設けられ、台端末１０から出力される各種遊技データを収集して、場内コンピュータ３０に対して出力するものである。この中継コンピュータ２０は、各遊技島に対応して設けられ、当該遊技島に設けられている複数の台端末１０との間で通信可能なものである。
【００４０】
ここで台端末１０は、パチンコ機Ｐや玉貸ユニットＵ等から収集した各種遊技データと共に、当該台端末１０の台端末番号と、該パチンコ機Ｐや玉貸ユニットＵ等が接続されている接続端子名とを、中継コンピュータ２０に対して出力し、該中継コンピュータ２０は、それら情報を場内コンピュータ３０に対して出力する。ここで場内コンピュータ３０は、各パチンコ機Ｐや玉貸ユニットＵの台番号と、当該パチンコ機Ｐや玉貸ユニットＵが接続されている台端末番号及び接続端子名とを対応付けて記憶している。従って場内コンピュータ３０は、各種遊技データと共に台端末番号及び接続端子名が送信されてきたときに、該送信されてきた台端末番号及び接続端子名と対応付けて記憶している台番号を特定できるので、該送信されてきた遊技データがいずれのパチンコ機Ｐや玉貸ユニットＵから出力されたものであるかを把握できる。
【００４１】
場内コンピュータ３０も前記店舗内端末の一例であって、遊技場内の所定箇所（例えば管理事務所等）に設けられ、中継コンピュータ２０から出力される各種遊技データを収集して、集計コンピュータ４０に対して出力するものである。この場内コンピュータ３０は、図１に示すように接続される場内通信部３１ａ，場外通信部３１ｂ，制御部３２，ディスプレイ３３，入力装置３４，及びハードディスク３５等を備えている。
【００４２】
場内通信部３１ａは、中継コンピュータ２０と通信可能に接続され、該中継コンピュータ２０及び前記台端末１０を介して、パチンコ機Ｐ及び玉貸ユニットＵ等から遊技データを収集するものである。場外通信部３１ｂは、集計コンピュータ４０の後述する通信部４１と通信可能に接続され、場内コンピュータ３０と集計コンピュータ４０との間における通信を司るものである。この場外通信部３１ｂは、場内通信部３１ａにより収集されて制御部３２により集計された遊技データ（図２を参照）を、所定のタイミング（例えば１時間毎）で集計コンピュータ４０に対して送信するものである。また場外通信部３１ｂは、集計コンピュータ４０により集計処理された遊技データである当該遊技場の集計データの帳票（図１２を参照）を、所定のタイミング（例えば１時間毎）で集計コンピュータ４０から受信するものである。
【００４３】
制御部３２は、ＣＰＵ，ＲＡＭ，ＲＯＭ等を備え、ハードディスク３５に記憶されている処理プログラムがＲＡＭを作業領域としてＣＰＵで実行されることにより、場内コンピュータ３０に備えられる各構成要素の動作を制御して各種の処理を行うものである。この制御部３２においては、場内通信部３１ａにより収集された遊技データの集計が行われる。具体的には、図２に示すように、ハードディスク３５に記憶されている台番号毎及び日付毎のデータテーブルにおいて、制御部３２により集計された遊技データが記憶される。このデータテーブルには、特賞の発生時刻，実特賞回数，及び確変フラグの記憶欄と対応付けて、実特賞中アウト，実特賞外アウト，実特賞中セーフ，実特賞外アウト，スタート，及びＣＲ売上の記憶欄が設けられており、各記憶欄に記憶されている値の合計も記憶されるようになっている。
【００４４】
まず制御部３２では、アウト信号の受信数にアウト信号比（ここでは打込玉１０個で１パルスのアウト信号が出力されるので、アウト信号比は１０）を乗じた打込玉数が算出され、セーフ信号の受信数にセーフ信号比（ここでは賞球１０個で１パルスのセーフ信号が出力されるので、セーフ信号比は１０）を乗じた賞球数が算出され、スタート信号の受信数がカウントされてスタート回数が算出される。
【００４５】
次に特賞信号の立ち上がりを受信したときに、「特賞の発生時刻」の記憶欄に、該特賞信号の立ち上がりを受信した時刻が記憶されると共に、「実特賞回数」の記憶欄に、該大当り信号の受信数がカウントされた実特賞回数が記憶される。また「実特賞外アウト」，「実特賞外セーフ」，及び「スタート」の記憶欄に、該特賞信号の立ち上がりを受信した時点において算出されている打込玉数，賞球数，及びスタート回数がそれぞれ記憶されると共に、それらの算出値がリセットされて、それらの算出が０から再開される。
【００４６】
次に特賞信号の立ち下がりを受信したときに、「実特賞中アウト」，及び「実特賞中セーフ」の記憶欄に、該特賞信号の立ち下がりを受信した時点において算出されている打込玉数，及び賞球数がそれぞれ記憶されると共に、それらの算出値がリセットされて、それらの算出が０から再開される。また確変信号を受信したときには、「確変フラグ」の記憶欄に、○印が記憶される。
【００４７】
なお各記憶欄に記憶されている値の合計は、適時算出されて記憶される。一方、特賞信号の受信とは無関係に、ＣＲサンド信号の受信数にサンド信号比（ここでは貸与金額１００円で１パルスのＣＲサンド信号が出力されるので、サンド信号比は１００）を乗じたＣＲ売上金額が算出され、「ＣＲ売上」の合計の記憶欄に、該算出されたＣＲ売上金額が記憶される。この図２に示す遊技データは、前述の如く、所定のタイミングで集計コンピュータ４０に対して送信される。なお図２に示す以外の遊技データ（例えばチャッカ入賞信号，スタート入賞信号，ゲート信号，ドアオープン信号，呼出信号等）も、図示しないが、制御部３２により集計されて、所定のタイミングで集計コンピュータ４０に対して送信される。
【００４８】
ディスプレイ３３は各種の情報を表示するためのものであり、例えば液晶表示器である。このディスプレイ３３には、前述の如く、集計コンピュータ４０から送信されてくる当該遊技場の集計データの帳票（図１２を参照）が表示される。入力装置３４は各種の入力を受け付けるためのものであり、例えばキーボード及びマウスである。記憶装置であるハードディスク３５には、図２に示すように、場内通信部３１ａにより収集されて制御部３２により集計された遊技データが記憶されている。
【００４９】
集計コンピュータ４０は、前記店舗内端末として機能する台端末１０，中継コンピュータ２０，及び場内コンピュータ３０により収集された各種遊技データを各遊技場から収集すると共に、該収集した各種遊技データを当該各遊技場に対する遊技データとして集計処理を行うものであり、具体的には、後述する集計処理手段として機能する制御部４２により、場内コンピュータ３０から送信されてきた図２に示す遊技データ等に基づいて、図３及び図４に示すように、各集計データについて各計算式に従って遊技データの集計処理を実行する。この集計コンピュータ４０は、図１に示すように接続される通信部４１，制御部４２，ディスプレイ４３，入力装置４４，及びハードディスク４５等を備えている。
【００５０】
通信部４１は、前述の如く、場内コンピュータ３０の場外通信部３１ｂと通信可能に接続されていると共に、ウェブサーバ５０，及びチェーン店本部６０とも通信可能に接続されている。この通信部４１は、集計データ配信手段，及び公開許容データ伝送手段として機能するものであるが、その詳細については後述する。
【００５１】
制御部４２は、ＣＰＵ，ＲＡＭ，ＲＯＭ等を備え、ハードディスク４５に記憶されている処理プログラムがＲＡＭを作業領域としてＣＰＵで実行されることにより、集計コンピュータ４０に備えられる各構成要素の動作を制御して各種の処理を行うものである。この制御部４２は、集計処理手段，公開許容データ抽出手段，及びウェブページ作成手段として機能するものであるが、その詳細については後述する。
【００５２】
ディスプレイ４３は各種の情報を表示するためのものであり、例えば液晶表示器である。入力装置４４は各種の入力を受け付けるためのものであり、例えばキーボード及びマウスである。これらディスプレイ４３及び入力装置４４は集計処理内容設定手段の一例であって、各遊技場が自店舗の管理のために当該集計コンピュータ４０に対して要求する集計処理の処理内容を設定するためのものであり、該処理内容には、後述する営業機器グループ設定手段（図５を参照），営業機器別集計データ設定手段（図６を参照），営業機器グループ別集計データ設定手段（図７を参照），営業データ表示順序設定手段（図６〜図８を参照），登録店舗グループ設定手段（図９を参照），登録店舗グループ別集計データ配信先設定手段（図９を参照），登録店舗グループ別集計データ設定手段（図１０を参照），及び統一設定手段（図１０を参照）を含むものである。
【００５３】
またディスプレイ４３及び入力装置４４は公開許容データ設定手段の一例であって、後述する集計処理手段として機能する制御部４２により集計処理された各遊技場の集計データのうち、当該各遊技場が自店舗の集計データとして該遊技場の関係者以外に公開を許容する公開許容データを設定するためのものであり、ここでは各遊技場別に、アクセス権を有するアクセス者（例えば当該遊技場について会員登録を行った遊技者である会員遊技者）のみに公開を許容する公開許容データと、アクセス権の有無に拘わらず公開を許容する公開許容データと、を設定する。
【００５４】
具体的には、後述する図６に示す台別集計データ設定画面，図７に示す島別集計データ設定画面，及び図８に示す全体集計データ設定画面において、各集計データと対応付けて、公開対象を選択するためのラジオボタンとして、当該集計データが遊技場の関係者以外に公開を許容しない旨を選択するための「非公開」，当該集計データが遊技場の関係者以外のうちのアクセス権を有するアクセス者である前記会員遊技者のみに公開を許容する公開許容データである旨を選択するための「会員公開」，及び当該集計データがアクセス権の有無に拘わらず公開を許容する公開許容データである旨を選択するための「ビジタ公開」の３つのラジオボタンがディスプレイ４３により表示され、入力装置４４の操作により、各集計データに対応する３つのラジオボタンのうちのいずれかが選択されて「設定」ボタンが操作されることにより、当該集計データについて該選択されたラジオボタンに応じた内容で公開対象が設定される。即ち「非公開」と設定された集計データについては遊技場関係者以外には一般公開されず、「会員公開」と設定された集計データについては会員遊技者に対して一般公開され（図１４のＤ６を参照），「ビジタ公開」と設定された集計データについては会員遊技者のみならず（同Ｄ６を参照）該会員遊技者以外のビジタ遊技者に対しても一般公開される（同Ｄ３を参照）。
【００５５】
以下、図５〜図１０に示す各画面を参照して、集計処理内容設定手段及び公開許容データ設定手段として機能するディスプレイ４３及び入力装置４４について説明する。なお各画面において、「次へ」ボタンが操作されると、一画面において設定しきれない項目を設定可能となり、「メニュー」ボタンが操作されると、図示しないメニュー画面に戻る。
【００５６】
まず図５に示すように、ディスプレイ４３及び入力装置４４は営業機器グループ設定手段の一例であって、各営業機器をグループ別に振り分け設定するためのものであり、ここでは該営業機器であるパチンコ機Ｐを、該パチンコ機Ｐが設置されている遊技島別に振り分け設定する。
【００５７】
具体的には、集計コンピュータ４０において、カード会社の係員の操作により遊技機設定モードが実行されると、図５に示す遊技機設定画面がディスプレイ４３に表示される。この画面では、遊技場を選択するためのコンボボックスが表示されると共に、該選択された遊技場に設置されている各パチンコ機Ｐについて、台番号，台端末番号，接続端子名，島番号，タイプ，及び機種名を設定するための入力欄が表示される。
【００５８】
ここでカード会社の係員が入力装置４４を操作することにより、遊技場を選択し、各入力欄に必要事項を入力して、「設定」ボタンを操作すると、該選択された遊技場に設置されている各パチンコ機Ｐについて、該入力された内容で台番号，台端末番号，接続端子名，島番号，タイプ，及び機種名が設定されることにより、各パチンコ機Ｐが遊技島別に振り分け設定される。
【００５９】
この図５に示す例では、遊技場Ａについて、0001番台〜0010番台の８台のパチンコ機Ｐ（0004番台と0009番台は欠番）が１番島の遊技島に振り分けられ、0011番台〜0015番台の４台のパチンコ機Ｐ（0014番台は欠番）が２番島に振り分けられている。この図５における設定は、図示しないが、ハードディスク４５に記憶される。
【００６０】
次に図６に示すように、ディスプレイ４３及び入力装置４４は営業機器別集計データ設定手段の一例であって、前記店舗内端末により収集された各種営業データの中から各営業機器に対して集計する複数の営業データを設定するためのものであり、ここでは該営業機器である各パチンコ機Ｐに対して集計する複数の遊技データを、前記図３及び図４に示す集計データの中から選択して設定する。またディスプレイ４３及び入力装置４４は営業データ表示順序設定手段の一例でもあって、前記営業機器別集計データ設定手段により設定された複数の営業データを帳票として表示するに際しての各々の営業データの表示順序を設定するためのものであり、ここでは該表示順序を示すNo.と対応付けて、各パチンコ機Ｐに対して集計する複数の遊技データを、前記図３及び図４に示す集計データの中から選択して設定することにより、遊技データの表示順序を設定する。さらにディスプレイ４３及び入力装置４４は、前述の如く、公開許容データ設定手段として機能するものである。
【００６１】
具体的には、集計コンピュータ４０において、カード会社の係員の操作により台別集計データ設定モードが実行されると、図６に示す台別集計データ設定画面がディスプレイ４３に表示される。この画面では、遊技場を選択するためのコンボボックス，及びパチンコ機Ｐのタイプ又は機種を選択するためのコンボボックスが表示されると共に、該選択された遊技場に設置されているタイプ又は機種に属する各パチンコ機Ｐについて、各パチンコ機Ｐに対して集計する複数の遊技データを前記図３及び図４に示す集計データの中から選択して設定すると共に該遊技データの表示順序を設定するための複数（ここでは８つ）のコンボボックスと、各集計データに対する前記公開対象を設定するための３つのラジオボタンが表示される。
【００６２】
ここでカード会社の係員が入力装置４４を操作することにより、遊技場を選択し、パチンコ機Ｐのタイプ又は機種を選択すると共に、前記表示順序を示す各No.に対応する各コンボボックスに表示される前記図３及び図４に示す集計データの中から必要項目を選択し、該選択された集計データに対する公開対象をラジオボタンにより選択して、「設定」ボタンを操作すると、該選択された遊技場に設置されている該選択されたタイプ又は機種の各パチンコ機Ｐについて、該選択された内容で複数の集計データ，該複数の集計データの表示順序，及び各集計データの公開対象が設定される。
【００６３】
この図６に示す例では、遊技場Ａに設置されているタイプが第１種であるパチンコ機Ｐについて、第１に実特賞回数（図３のNo.６），第２に確変回数（同No.２９），第３に特賞確率（同No.１１），第４に差玉（同No.３），第５に出玉率（同No.４），第６にベース（同No.８），及び第７にスタート％（同No.１０）の各集計データが設定されていると共に、各集計データがこの第１〜第７の表示順序で帳票に表示されるように設定されている。また公開対象に関しては、実特賞回数，確変回数，及び特賞確率についてはビジタ公開と設定され、差玉については会員公開と設定され、出玉率，ベース，及びスタート％については非公開と設定されている。この図６における設定は、後述する図１１（ａ）に示すように、ハードディスク４５に記憶される。
【００６４】
次に図７に示すように、ディスプレイ４３及び入力装置４４は営業機器グループ別集計データ設定手段の一例であって、前記店舗内端末により収集された各種営業データの中から前記図５に示す営業機器グループ設定手段により設定された営業機器グループに対して集計する複数の営業データを設定するためのものであり、ここでは該営業機器グループである遊技島に対して集計する複数の遊技データを、前記図３及び図４に示す集計データの中から選択して設定する。またディスプレイ４３及び入力装置４４は営業データ表示順序設定手段の一例でもあって、前記営業機器グループ別集計データ設定手段により設定された複数の営業データを帳票として表示するに際しての各々の営業データの表示順序を設定するためのものであり、ここでは該表示順序を示すNo.と対応付けて、遊技島に対して集計する複数の遊技データを、前記図３及び図４に示す集計データの中から選択して設定することにより、遊技データの表示順序を設定する。さらにディスプレイ４３及び入力装置４４は、前述の如く、公開許容データ設定手段として機能するものである。
【００６５】
具体的には、集計コンピュータ４０において、カード会社の係員の操作により島別集計データ設定モードが実行されると、図７に示す島別集計データ設定画面がディスプレイ４３に表示される。この画面では、遊技場を選択するためのコンボボックス，及び遊技島の島番号を選択するためのコンボボックスが表示されると共に、該選択された遊技場の遊技島について、該遊技島に対して集計する複数の遊技データを前記図３及び図４に示す集計データの中から選択して設定すると共に該遊技データの表示順序を設定するための複数（ここでは８つ）のコンボボックスと、各集計データに対する前記公開対象を設定するための３つのラジオボタンが表示される。
【００６６】
ここでカード会社の係員が入力装置４４を操作することにより、遊技場を選択し、遊技島の島番号を選択すると共に、前記表示順序を示す各No.に対応する各コンボボックスに表示される前記図３及び図４に示す集計データの中から必要項目を選択し、該選択された集計データに対する公開対象をラジオボタンにより選択して、「設定」ボタンを操作すると、該選択された遊技場の遊技島について、該選択された内容で複数の集計データ，該複数の集計データの表示順序，及び各集計データの公開対象が設定される。
【００６７】
この図７に示す例では、遊技場Ａに設置されている島番号が１番島〜８番島である遊技島について、第１にアウト（図３のNo.２），第２にセーフ（同No.１），第３に差玉（同No.３），第４に出玉率（同No.４），第５にベース（同No.８），第６に確変中ベース（同No.３１），第７にスタート％（同No.１０），及び第８に確変中スタート％（同No.３２）の各集計データが設定されていると共に、各集計データがこの第１〜第８の表示順序で帳票に表示されるように設定されている。また公開対象に関しては、アウト，セーフ，及び差玉については会員公開と設定され、出玉率，ベース，確変中ベース，スタート％，及び確変中スタート％については非公開と設定されている。この図７における設定は、後述する図１１（ｂ）に示すように、ハードディスク４５に記憶される。
【００６８】
次に図８に示すように、ディスプレイ４３及び入力装置４４は、前記店舗内端末により収集された各種営業データの中から各遊技場に対して集計する複数の営業データを設定するためのものであり、ここでは遊技場に対して集計する複数の遊技データを、前記図３及び図４に示す集計データの中から選択して設定する。またディスプレイ４３及び入力装置４４は、前記設定された複数の営業データを帳票として表示するに際しての各々の営業データの表示順序を設定するためのものであり、ここでは該表示順序を示すNo.と対応付けて、遊技場に対して集計する複数の遊技データを、前記図３及び図４に示す集計データの中から選択して設定することにより、遊技データの表示順序を設定する。さらにディスプレイ４３及び入力装置４４は、前述の如く、公開許容データ設定手段として機能するものである。
【００６９】
具体的には、集計コンピュータ４０において、カード会社の係員の操作により全体集計データ設定モードが実行されると、図８に示す全体集計データ設定画面がディスプレイ４３に表示される。この画面では、遊技場を選択するためのコンボボックスが表示されると共に、該選択された遊技場について、該遊技場に対して集計する複数の遊技データを前記図３及び図４に示す集計データの中から選択して設定すると共に該遊技データの表示順序を設定するための複数（ここでは８つ）のコンボボックスと、各集計データに対する前記公開対象を設定するための３つのラジオボタンが表示される。
【００７０】
ここでカード会社の係員が入力装置４４を操作することにより、遊技場を選択すると共に、前記表示順序を示す各No.に対応する各コンボボックスに表示される前記図３及び図４に示す集計データの中から必要項目を選択し、該選択された集計データに対する公開対象をラジオボタンにより選択して、「設定」ボタンを操作すると、該選択された遊技場について、該選択された内容で複数の集計データ，該複数の集計データの表示順序，及び各集計データの公開対象が設定される。
【００７１】
この図８に示す例では、遊技場Ａについて、第１に差玉（図３のNo.３），第２に出玉率（同No.４），第３にＣＲ売上（図４のNo.７１），第４に現金売上（同No.７０），第５に台売上（同No.７２），第６に台割数（同No.７３），第７に台粗利益（同No.７７），及び第８に利益率（同No.７９）の各集計データが設定されていると共に、各集計データがこの第１〜第８の表示順序で帳票に表示されるように設定されている。また公開対象に関しては、差玉については会員公開と設定され、出玉率，ＣＲ売上，現金売上，台売上，台割数，台粗利益，及び利益率については非公開と設定されている。この図８における設定は、後述する図１１（ｃ）に示すように、ハードディスク４５に記憶される。
【００７２】
次に図９に示すように、ディスプレイ４３及び入力装置４４は登録店舗グループ設定手段の一例であって、複数の登録店舗をグループ化するものであり、ここではチェーン店に属する各遊技場をグループ化して遊技場グループを設定する。またディスプレイ４３及び入力装置４４は登録店舗グループ別集計データ配信先設定手段の一例であって、前記登録店舗グループ設定手段により設定された登録店舗グループについての集計データの配信先を設定するものであり、ここでは前記遊技場グループを統轄するチェーン店本部６０を、該遊技場グループについての集計データの配信先として設定する。
【００７３】
具体的には、集計コンピュータ４０において、カード会社の係員の操作により遊技場グループ設定モードが実行されると、図９に示す遊技場グループ設定画面がディスプレイ４３に表示される。この画面では、遊技場グループの名称を設定するための入力欄，及び該遊技場グループについての集計データの配信先を設定するための入力欄が表示されると共に、該遊技場グループに属する遊技場（即ち該遊技場グループのチェーン店）を選択して設定するためのコンボボックスが表示される。
【００７４】
ここでカード会社の係員が入力装置４４を操作することにより、遊技場グループの名称を入力し、該遊技場グループについての集計データの配信先を入力すると共に、各コンボボックスに表示される遊技場の中から該遊技場グループに属する遊技場を選択して、「設定」ボタンを操作すると、該選択された遊技場がグループ化されて、前記入力された名称の遊技場グループが設定されると共に、前記入力された配信先が該遊技場グループについての集計データの配信先として設定される。
【００７５】
この図９に示す例では、チェーン店に属する遊技場Ａ，Ｂ，Ｍ，Ｐがグループ化されてＸチェーンという名称の遊技場グループが設定されていると共に、該遊技場グループを統轄するチェーン店本部６０が前記配信先として設定されている。この図９における設定は、図示しないが、ハードディスク４５に記憶される。
【００７６】
そして図１０に示すように、ディスプレイ４３及び入力装置４４は登録店舗グループ別集計データ設定手段の一例であって、前記登録店舗グループ設定手段により設定された登録店舗グループに属する各登録店舗に対して集計する複数の営業データを設定するためのものであり、ここでは前記遊技場グループに属する各遊技場に対して集計する複数の遊技データを、前記図３及び図４に示す集計データの中から選択して設定する。またディスプレイ４３及び入力装置４４は統一設定手段の一例であって、前記登録店舗グループ別集計データ設定手段により設定された複数の営業データを帳票として表示するに際しての各々の営業データの表示順序を、前記図９に示す登録店舗グループ設定手段により設定された登録店舗グループに属する各登録店舗について統一的に設定するためのものであり、ここでは前記遊技場グループに属する各遊技場に対して集計する複数の遊技データを、各遊技場毎に個別に設定するのではなく、前記図３及び図４に示す集計データの中から選択して統一的に設定することにより、遊技データの表示順序を統一的に設定する。
【００７７】
具体的には、集計コンピュータ４０において、カード会社の係員の操作により遊技場グループ別集計データ設定モードが実行されると、図１０に示す遊技場グループ別集計データ設定画面がディスプレイ４３に表示される。この画面では、遊技場グループを選択するためのコンボボックスが表示されると共に、該選択された遊技場グループについて、該遊技場グループに属する各遊技場に対して集計する複数の遊技データを前記図３及び図４に示す集計データの中から選択して設定すると共に該遊技データの表示順序を統一的に設定するための複数（ここでは８つ）のコンボボックスが表示される。
【００７８】
ここでカード会社の係員が入力装置４４を操作することにより、遊技場グループを選択すると共に、前記表示順序を示す各No.に対応する各コンボボックスに表示される前記図３及び図４に示す集計データの中から必要項目を選択して、「設定」ボタンを操作すると、該選択された遊技場グループについて、該選択された内容で複数の集計データ，及び該複数の集計データの表示順序が統一的に設定される。
【００７９】
この図１０に示す例では、Ｘチェーンという名称の遊技場グループについて、第１にＣＲ売上（図４のNo.７１），第２に現金売上（同No.７０），第３に台売上（同No.７２），第４に台割数（同No.７３），第５に台粗利益（同No.７７），第６に利益率（同No.７９），第７に差玉（図３のNo.３），及び第８に出玉率（同No.４）の各集計データが統一的に設定されていると共に、各集計データがこの第１〜第８の表示順序で帳票に統一的に表示されるように設定されている。この図１０における設定は、図示しないが、ハードディスク４５に記憶される。
【００８０】
記憶装置であるハードディスク４５には、図示しないが、場内コンピュータ３０から送信されてきた遊技データ（図２を参照）が、各遊技場毎に記憶される。またハードディスク４５には、図示しないが、図５で設定された遊技機設定が、各遊技場毎に記憶される。
【００８１】
またハードディスク４５には、図１１（ａ）に示すように、図６で設定された台別集計データ設定が記憶される。この図１１（ａ）では、各遊技場に設置されている各タイプ又は各機種のパチンコ機１０毎に、当該パチンコ機１０について集計する集計データ及び該集計データの公開対象が記憶されている。またハードディスク４５には、図１１（ｂ）に示すように、図７で設定された島別集計データ設定が記憶される。この図１１（ｂ）では、各遊技場に設置されている遊技島毎に、当該遊技島について集計する集計データ及び該集計データの公開対象が記憶されている。またハードディスク４５には、図１１（ｃ）に示すように、図８で設定された全体集計データ設定が記憶される。この図１１（ｃ）では、各遊技場毎に、当該遊技場について集計する集計データ及び該集計データの公開対象が記憶されている。
【００８２】
さらにハードディスク４５には、図示しないが、図９で設定された遊技場グループ設定，及び図１０で設定された遊技場グループ別集計データ設定が、各遊技場グループ毎に記憶される。
【００８３】
ここで前記制御部４２は集計処理手段の一例であって、前記図５〜図１０に示す集計処理内容設定手段により設定された各登録店舗の集計処理の処理内容に応じて、当該登録店舗に対する営業データの集計処理を実行するものである。
【００８４】
まず、ある遊技場（例えば遊技場Ａ）に対する台別集計データの集計処理を実行する場合には、ハードディスク４５で図１１（ａ）に示すようにして記憶されている当該遊技場の台別集計データ設定に基づいて以下のような処理を行い、図１２（ａ）に示す帳票を作成する。まず当該遊技場の台別集計データ設定に基づいて、ハードディスク４５で記憶されている当該遊技場の遊技データの中から、集計対象となるタイプ又は機種に属するパチンコ機Ｐ（ここでは第１種のパチンコ機Ｐ）の遊技データを抽出する。次に当該遊技場の台別集計データ設定と該抽出された遊技データとに基づいて、前記集計対象となるタイプ又は機種に属するパチンコ機Ｐについて設定されている複数の集計データ（ここでは実特賞回数，確変回数，特賞確率，差玉，出玉率，ベース，及びスタート％）を前記図３及び図４に示す計算式に従って各パチンコ機Ｐ毎に算出すると共に、各集計データの合計及び／又は平均を算出する。そして当該遊技場の台別集計データ設定に基づいて、該算出された各パチンコ機Ｐ毎の各遊技データ，及び該算出された合計及び／又は平均の各遊技データを、前記設定されている表示順序で表示して、図１２（ａ）に示す帳票を作成する。なお図示しないが、遊技場Ａ以外の各遊技場に対する台別集計データの集計処理も、同様にして実行される。即ち、ここでの集計処理手段として機能する制御部４２は、前記各営業機器（パチンコ機Ｐ）に対して、前記図６に示す営業機器別集計データ設定手段により設定された営業データ（遊技データ）の集計処理（集計データの算出）を実行するものであり、また前記図６に示す営業データ表示順序設定手段により設定された表示順序に応じた集計処理を実行するものである。
【００８５】
また、ある遊技場（例えば遊技場Ａ）に対する島別集計データの集計処理を実行する場合には、ハードディスク４５で記憶されている当該遊技場の遊技機設定（図５を参照），及び図１１（ｂ）に示すようにして記憶されている当該遊技場の島別集計データ設定に基づいて以下のような処理を行い、図１２（ｂ）に示す帳票を作成する。まず当該遊技場の遊技機設定及び島別集計データ設定に基づいて、ハードディスク４５で記憶されている当該遊技場の遊技データの中から、集計対象となる遊技島に設置されているパチンコ機Ｐ（ここでは島番号が１番島〜８番島である遊技島に設置されているパチンコ機Ｐ）の遊技データを抽出する。次に当該遊技場の島別集計データ設定と該抽出された遊技データとに基づいて、前記集計対象となる遊技島について設定されている複数の集計データ（ここではアウト，セーフ，差玉，出玉率，ベース，確変中ベース，スタート％，及び確変中スタート％）を前記図３及び図４に示す計算式に従って各パチンコ機Ｐ毎に算出し、該算出された各集計データを各遊技島毎に集計すると共に、各集計データの合計及び／又は平均を算出する。そして当該遊技場の台別集計データ設定に基づいて、該集計された各遊技島毎の各遊技データ，及び該算出された合計及び／又は平均の各遊技データを、前記設定されている表示順序で表示して、図１２（ｂ）に示す帳票を作成する。なお図示しないが、遊技場Ａ以外の各遊技場に対する島別集計データの集計処理も、同様にして実行される。即ち、ここでの集計処理手段として機能する制御部４２は、前記図５に示す営業機器グループ設定手段により設定された各営業機器グループ（遊技島）に対して、前記図７に示す営業機器グループ別集計データ設定手段により設定された営業データ（遊技データ）の集計処理（集計データの算出）を実行するものであり、また前記図７に示す営業データ表示順序設定手段により設定された表示順序に応じた集計処理を実行するものである。
【００８６】
また、ある遊技場（例えば遊技場Ａ）に対する全体集計データの集計処理を実行する場合には、ハードディスク４５で図１１（ｃ）に示すようにして記憶されている当該遊技場の全体集計データ設定に基づいて以下のような処理を行い、図１２（ｃ）に示す帳票を作成する。まず当該遊技場の全体集計データ設定に基づいて、ハードディスク４５で記憶されている当該遊技場の遊技データを抽出する。次に当該遊技場の全体集計データ設定と該抽出された遊技データとに基づいて、当該遊技場について設定されている複数の集計データ（ここでは差玉，出玉率，ＣＲ売上，現金売上，台売上，台割数，台粗利益，及び利益率）を前記図３及び図４に示す計算式に従って各パチンコ機Ｐ毎に算出し、該算出された各集計データを全パチンコ機Ｐについて集計することにより、各集計データの合計及び／又は平均を算出する。そして当該遊技場の全体集計データ設定に基づいて、該算出された合計及び／又は平均の各遊技データを、前記設定されている表示順序で表示して、図１２（ｃ）に示す帳票を作成する。なお図示しないが、遊技場Ａ以外の各遊技場に対する全体集計データの集計処理も、同様にして実行される。即ち、ここでの集計処理手段として機能する制御部４２は、各登録店舗（遊技場）に対して、前記図８に示すようにして設定された営業データ（遊技データ）の集計処理（集計データの算出）を実行するものであり、また前記図８に示すようにして設定された表示順序に応じた集計処理を実行するものである。
【００８７】
さらに、ある遊技場グループ（例えばＸチェーン）に対する遊技場グループ別集計データの集計処理（グループ化集計処理）を実行する場合には、ハードディスク４５で記憶されている当該遊技場グループの遊技場グループ設定（図９を参照）及び当該遊技場グループの遊技場グループ別集計データ設定（図１０を参照）に基づいて以下のような処理を行い、図１３に示す帳票を作成する。まず当該遊技場グループの遊技場グループ設定及び遊技場グループ別集計データ設定に基づいて、ハードディスク４５で記憶されている当該遊技場グループに属する各遊技場の遊技データを抽出する。次に当該遊技場グループの遊技場グループ別集計データ設定と該抽出された遊技データとに基づいて、当該遊技場グループについて設定されている複数の集計データ（ここではＣＲ売上，現金売上，台売上，台割数，台粗利益，利益率，差玉，及び出玉率）を前記図３及び図４に示す計算式に従って各パチンコ機Ｐ毎に算出し、該算出された各集計データを各遊技場毎に集計すると共に、各集計データの合計及び／又は平均を算出する。そして当該遊技場グループの遊技場グループ別集計データ設定に基づいて、該集計された各遊技場毎の各遊技データ，及び該算出された合計及び／又は平均の各遊技データを、前記設定されている表示順序で統一的に表示して、図１３に示す帳票を作成する。なお図示しないが、Ｘチェーン以外の各遊技場グループに対する遊技場グループ別集計データの集計処理も、同様にして実行される。即ち、ここでの集計処理手段として機能する制御部４２は、前記図９に示す登録店舗グループ設定手段により設定された登録店舗グループ（遊技場グループ）に属する各登録店舗（遊技場）に対して、前記図１０に示す登録店舗グループ別集計データ設定手段により設定された営業データ（遊技データ）の集計処理（集計データの算出）を実行するものであり、また前記図１０に示す統一設定手段により設定された統一的な表示順序に応じて、前記登録店舗グループ設定手段により設定された登録店舗グループに属する各登録店舗に対する営業データの集計処理を実行するグループ化集計処理を行うものである。
【００８８】
また前記制御部４２は公開許容データ抽出手段の一例であって、前記集計処理手段により集計処理された各登録店舗の集計データの中から、前記図６〜図８に示す公開許容データ設定手段により設定された当該登録店舗の設定内容に応じて、公開許容データを抽出するものであり、ここではハードディスク４５で図１１に示すようにして記憶されている公開対象の設定に基づいて、公開許容データを抽出する。
【００８９】
具体的には、遊技場Ａに設置されているタイプが第１種であるパチンコ機Ｐについては、図１１（ａ）に示すように、実特賞回数，確変回数，及び特賞確率についてビジタ公開と設定され、差玉について会員公開と設定されているので、図１２（ａ）に示す台別集計データからは、ビジタ公開用の公開許容データとして実特賞回数，確変回数，及び特賞確率の各集計データを抽出すると共に、会員公開用の公開許容データとして実特賞回数，確変回数，特賞確率，及び差玉の各集計データを抽出する。また遊技場Ａに設置されている島番号が１番島〜８番島である遊技島については、図１１（ｂ）に示すように、アウト，セーフ，及び差玉について会員公開と設定されているので、図１２（ｂ）に示す島別集計データからは、会員公開用の公開許容データとしてアウト，セーフ，及び差玉の各集計データを抽出する。さらに遊技場Ａについては、図１１（ｃ）に示すように、差玉について会員公開と設定されているので、図１２（ｃ）に示す全体集計データからは、会員公開用の公開許容データとして差玉の集計データを抽出する。なお図示しないが、遊技場Ａ以外の各遊技場についての公開許容データの抽出も、同様にして実行される。
【００９０】
さらに前記制御部４２はウェブページ作成手段の一例であって、各登録店舗の店舗情報を公開するための当該各登録店舗用のウェブページを作成するものであり、具体的には、図１４に示すウェブページを作成する。またウェブページ作成手段として機能する制御部４２は、少なくとも前記公開許容データ抽出手段により抽出された各登録店舗の公開許容データを当該各登録店舗用のウェブページに更新する公開許容データ更新手段を含むものであり、具体的には、前記ビジタ公開用の公開許容データを図１４のＤ３に示すウェブページに更新すると共に、前記会員公開用の公開許容データを図１４のＤ６に示すウェブページに更新する。
【００９１】
また前記通信部４１は集計データ配信手段の一例であって、前記集計処理手段により集計処理された各登録店舗の集計データ（図１１を参照）を、当該各登録店舗の関係者が閲覧できるように配信するものであり、ここでは登録店舗である各遊技場の集計データを、当該遊技場に設置されている場内コンピュータ３０に対して配信する。
【００９２】
また集計データ配信手段として機能する通信部４１は、前記集計処理手段によりグループ化集計処理された前記登録店舗グループについての集計データ（図１２を参照）を、前記登録店舗グループ集計データ配信先設定手段（図９を参照）により設定された配信先に対して配信するものであり、ここでは登録店舗グループである遊技場グループについての集計データを、前記配信先として設定された当該遊技場グループのチェーン店本部６０に対して配信する。
【００９３】
さらに前記通信部４１は公開許容データ伝送手段の一例であって、前記公開許容データ抽出手段により抽出された各登録店舗の公開許容データを、ウェブサーバ５０に対してデータ伝送するためのものであり、ここでは該公開許容データとして、前記ウェブページ作成手段により作成されたウェブページのデータを、ウェブサーバ５０に対してデータ伝送する。
【００９４】
次に、図１２〜図１４を参照して、店舗データ集計システム１の作用について説明する。まず場内コンピュータ３０においては、前述の如く、パチンコ機Ｐ及び玉貸ユニットＵ等から台端末１０及び中継コンピュータ２０を介して遊技データが収集され、該収集された遊技データが図２に示すように集計され、該集計された遊技データが所定のタイミング（例えば１時間毎）で集計コンピュータ４０に対して送信される。集計コンピュータ４０においては、該送信されてきた遊技データが各遊技場毎にハードディスク４５で記憶される。
【００９５】
集計コンピュータ４０においては、前述の如く、ハードディスク４５で図１１に示すようにして記憶されている各遊技場の集計データ設定（台別集計データ設定，島別集計データ設定，全体集計データ設定）に基づいて、ハードディスク４５で記憶されている遊技データの集計処理が行われて、図１２に示す帳票が作成され、該作成された帳票が所定のタイミング（例えば１時間毎）で各遊技場に設置されている場内コンピュータ３０に対して配信される。場内コンピュータ３０においては、該配信されてきた帳票がディスプレイ３３に表示される。
【００９６】
このように、集計コンピュータ４０において、営業機器グループ設定手段により、各遊技場の関係者が遊技データをグループ化して確認したいパチンコ機Ｐを設定することができると共に、営業機器別集計データ設定手段，営業機器グループ別集計データ設定手段により、該関係者が確認したい遊技データをパチンコ機Ｐ別，遊技島別に設定することができるので、パチンコ機Ｐ別，遊技島別に該関係者が要求する遊技データの集計処理が実行される。また集計コンピュータ５０において、営業データ表示順序設定手段により、複数の遊技データを帳票として表示するに際しての各々の遊技データの表示順序を設定することができるので、各遊技場の関係者が見易い（見慣れた）形式の集計帳票を配信できる。
【００９７】
また集計コンピュータ４０においては、前述の如く、ハードディスク４５で記憶されている各遊技場グループの遊技場グループ別集計データ設定（図１０を参照）に基づいて、ハードディスク４５で記憶されている遊技データの集計処理が行われて、図１３に示す帳票が作成され、該作成された帳票が所定のタイミング（例えば１時間毎）で当該遊技場グループのチェーン店本部６０に対して配信される。チェーン店本部６０においては、該配信されてきた帳票がディスプレイに表示される。
【００９８】
このように、集計コンピュータ４０において、登録店舗グループ設定手段により、遊技データをグループ化して確認したい遊技場（例えばチェーン店）を設定することができると共に、登録店舗グループ別集計データ設定手段により、該チェーン店の本部が確認したい遊技データを遊技場グループ別に設定することができるので、遊技場グループ別に該本部が要求する遊技データの集計処理が実行される。また集計コンピュータ４０において、統一設定手段により、複数の遊技データを帳票として出力するに際しての各々の遊技データの表示順序を遊技場グループに属する各遊技場について統一的に設定することができると共に、登録店舗グループ集計データ配信先設定手段により、遊技場グループについての集計データの配信先を設定でき、集計処理手段により、該設定された統一的な表示順序で遊技データのグループ化集計処理が行われ、集計データ配信手段により、該グループ化集計処理された遊技場グループについての集計データが前記設定された配信先に配信されるので、チェーン店に属する各遊技場に対しては、図１２に示すように、当該遊技場の関係者が見易い（見慣れた）形式の集計帳票の配信を行うことができると共に、チェーン店の本部に対しては、図１３に示すように、該チェーン店に属する遊技場に対する集計データが統一的な形式で配信されるので、該本部が見易い形式の集計帳票を配信できる。
【００９９】
さらに集計コンピュータ４０においては、遊技者が操作可能なパソコン３ａ又は携帯端末３ｂからの配信要求に応じて、前述の如く、前記集計処理された各遊技場の集計データの中から、ハードディスク４５で図１１に示すようにして記憶されている公開対象の設定に応じて、公開許容データが抽出され、該抽出された各遊技場の公開許容データを更新して、当該各遊技場用のウェブページが作成され、該作成されたウェブページのデータがウェブサーバ５０に対してデータ伝送される。ウェブサーバ５０においては、該データ伝送されてきたウェブページのデータが、前記配信要求の送信元であるパソコン３ａ又は携帯端末３ｂに対して配信される。
【０１００】
このように、集計コンピュータ４０において、ウェブページ作成手段により、各遊技場の公開許容データに基づいて当該遊技場用のウェブページが自動的に更新されて当該ウェブページが作成されるので、遊技場において、公開許容データを手作業で抽出してウェブページの更新を行うといった手間が省ける。
【０１０１】
ここで図１４を参照して、遊技者が操作可能なパソコン３ａ又は携帯端末３ｂのディスプレイに表示される画面について説明する。まず遊技者がパソコン３ａ又は携帯端末３ｂを操作することにより、インターネット２を介して、ウェブサーバ５０が提供するウェブページの内のある遊技場（ここでは遊技場Ａ）用のウェブページにアクセスすると、該ウェブサーバ５０からＤ１に示す画面が配信されて表示される。このＤ１では、会員遊技者について会員ＩＤ（該会員遊技者を個々に識別可能な情報）の入力及びログインボタンの操作を求める旨と、ビジタ遊技者についてスタートボタンの操作を求める旨が表示される。
【０１０２】
このＤ１で、ビジタ遊技者により、スタートボタンが操作されると、該スタートボタンが操作された旨がウェブサーバ５０に対して送信され、該ウェブサーバ５０からＤ２に示す画面が配信されてきて表示される。なお遊技場Ａについては、図１１に示すように、台別集計データについてのみビジタ公開用の公開許容データが設定されており、島別集計データや全体集計データについてはビジタ公開用の公開許容データが設定されていないため、後述するＤ４に示すような表示データ選択画面は表示されない。このＤ２では、台別集計データを表示するパチンコ機Ｐの指定を促す旨が表示される。
【０１０３】
このＤ２で、ビジタ遊技者により、全台指定ボタンが操作されるか、又は台別集計データを表示するパチンコ機Ｐの台番号が入力されて個別指定ボタンが操作されると、該操作に応じた台別集計データの配信要求がウェブサーバ５０を介して集計コンピュータ４０に対して送信され、該集計コンピュータ４０からウェブサーバ５０を介してＤ３に示す画面が配信されてきて表示される。このＤ３に示す画面は、前記配信要求に応じて集計コンピュータ４０において作成・更新されたウェブページであり、Ｄ２で指定された各パチンコ機Ｐについての公開許容データとして、実特賞回数，確変回数，及び特賞確率の各集計データが表示される。このＤ３では、本日の公開許容データが表示されているが、コンボボックスに表示される過去の日付を選択することにより、該選択された過去の日付の公開許容データが表示される。
【０１０４】
一方、Ｄ１で、会員遊技者により、会員ＩＤが入力されてログインボタンが操作されると、該入力された会員ＩＤ及びログインボタンが操作された旨がウェブサーバ５０に対して送信され、該ウェブサーバ５０における会員ＩＤの認証がＯＫである場合に、該ウェブサーバ５０からＤ４に示す画面が配信されてきて表示される。ここで遊技場Ａについては、図１１に示すように、台別集計データ，島別集計データ，及び全体集計データについて公開許容データが設定されているため、Ｄ４では、表示するデータの選択を促す旨が表示されると共に、該表示するデータを選択するためのボタンとして、台別集計データボタン，島別集計データボタン，及び全体集計データボタンが表示される。このＤ４で、会員遊技者により、いずれかのボタン（ここでは台別集計データボタン）が操作されると、該ボタンが操作された旨がウェブサーバ５０に対して送信され、該ウェブサーバ５０からＤ５に示す画面が配信されてきて表示される。このＤ５では、台別集計データを表示するパチンコ機Ｐの指定を促す旨が表示される。
【０１０５】
このＤ５で、会員遊技者により、全台指定ボタンが操作されるか、又は台別集計データを表示するパチンコ機Ｐの台番号が入力されて個別指定ボタンが操作されると、該操作に応じた台別集計データの配信要求がウェブサーバ５０を介して集計コンピュータ４０に対して送信され、該集計コンピュータ４０からウェブサーバ５０を介してＤ６に示す画面が配信されてきて表示される。このＤ６に示す画面は、前記配信要求に応じて集計コンピュータ４０において作成・更新されたウェブページであり、Ｄ５で指定された各パチンコ機Ｐについての公開許容データとして、実特賞回数，確変回数，特賞確率，及び差玉の各集計データが表示される。このＤ６では、本日の公開許容データが表示されているが、コンボボックスに表示される過去の日付を選択することにより、該選択された過去の日付の公開許容データが表示される。
【０１０６】
なおＤ４で、島別集計データボタンが操作された場合には、島別集計データを表示する遊技島の指定を促す旨がＤ５で表示され、該Ｄ５で指定された遊技島（例えば１番島〜８番島）についての公開許容データとして、アウト，セーフ，差玉，及び出玉率の各集計データがＤ６で表示される。またＤ４で、全体集計データボタンが操作された場合には、Ｄ５は表示されず、遊技場Ａについての公開許容データとして、差玉の集計データがＤ６で表示される。
【０１０７】
このように、集計コンピュータ５０において、公開許容データ設定手段により、アクセス権の有無に応じて公開を許容するデータを設定するので、例えば会員制度を有する遊技場においては、公開許容データを会員に対するサービスに利用することができる。
【０１０８】
以上に説明したように、本発明に係る店舗データ集計システム１によれば、各遊技場の遊技データの集計処理を行う集計コンピュータ４０において、集計処理内容設定手段により、各遊技場の関係者が要求する集計処理の処理内容を設定することができ、集計処理手段により、該設定された集計処理の処理内容に応じて各遊技場に対する遊技データの集計処理が実行され、集計データ配信手段により、各遊技場の関係者が要求する集計データを配信するように構成すると共に、公開許容データ設定手段により、自店舗の集計データの中から自店舗が宣伝のためにウェブページで一般公開したいデータを設定することができ、データ伝送手段により、該設定された一般公開用のデータをウェブサーバ５０に伝送するように構成したので、各遊技場の関係者が要求する集計データを配信できると共に、自店舗のウェブページを持つ遊技場においては、自店舗でウェブページを作成したり、自店舗の集計データの中から自店舗が宣伝のためにウェブページで公開したいデータを抽出して該データを外部のウェブページ作成業者に定期的に提供したりする手間が省ける。
【０１０９】
最後に、本発明の変形例について説明する。
【０１１０】
上記の実施形態では、登録店舗が遊技場である例について説明したが、これに限らず、該登録店舗は、例えばカジノや、ゲームセンターや、自動販売機及びコインランドリー等の無人販売店や、インターネットカフェや、病院や、美容院等であっても良い。
【０１１１】
ここで登録店舗がカジノである場合には、前記営業機器は、例えばスロットマシン等のカジノマシンであり、前記営業データは、例えば該カジノマシンにおける配当，稼働率，売上等に関するデータであり、前記公開許容データは、例えば配当に関するデータである。そしてカジノの利用者は、該公開許容データを参照することにより、遊技を行うカジノマシンを選択する指標とすることができる。また登録店舗がゲームセンターである場合には、例えば格闘ゲーム等のゲームマシンであり、前記営業データは、例えば該ゲームマシンにおける最高得点，最高クリアステージ，稼働率，売上等に関するデータであり、前記公開許容データは、例えば最高得点，最高クリアステージに関するデータである。そしてゲームセンターの利用者は、該公開許容データを参照することにより、当該ゲームセンターにおける他の利用者のレベルを把握して、遊技を行うゲームセンターを選択する指標とすることができる。
【０１１２】
また登録店舗が無人販売店やインターネットカフェである場合には、前記営業機器は、該登録店舗に設置される端末（即ち自動販売機，コイン式洗濯機，パソコン等）であり、前記営業データは、例えば該端末における稼働率，売上等に関するデータであり、前記公開許容データは、例えば稼働率に関するデータである。そして該登録店舗の利用者は、該公開許容データを参照することにより、該登録店舗における混雑状況を把握して、利用する登録店舗を選択する指標とすることができる。また登録店舗が病院や美容院である場合には、前記営業機器は、該登録店舗に設置される施術機器（即ち医療機器，美容機器等）であり、前記営業データは、例えば該施術機器における稼働率に関するデータであり、前記公開許容データは、例えば稼働率に関するデータである。そして該登録店舗の利用者は、該公開許容データを参照することにより、該登録店舗における混雑状況を把握して、利用する登録店舗を選択する指標とすることができる。
【０１１３】
上記の実施形態では、遊技場の営業中において稼働する営業機器がパチンコ機Ｐである例について説明したが、これに限らず、該営業機器は、例えばプリペイドカードを販売するカード販売機や、遊技者に付与されたパチンコ玉を計数する計数機等であっても良い。ここで営業機器がカード販売機である場合には、前記営業データは、例えば受け付けた貨幣の金種，販売したプリペイドカードの金種，販売金額等に関するデータである。また営業機器が計数機である場合には、前記営業データは、パチンコ玉の計数値に関するデータである。
【０１１４】
上記の実施形態では、図１に示すように、集計コンピュータ４０とウェブサーバ５０及びチェーン店本部６０とが直接的に接続されている例について説明したが、これに限らず、該集計コンピュータ４０とウェブサーバ５０及びチェーン店本部６０とはインターネット２を介して接続されるものであっても良い。また集計コンピュータ４０が設置されるのは、カード会社でなくても良い。さらにウェブサーバ５０は、各遊技場内に設けられるものでも良い。
【０１１５】
上記の実施形態では、図２に示すように、パチンコ機Ｐや玉貸ユニットＵ等から収集された遊技データが場内コンピュータ３０において集計されてから集計コンピュータ４０に対して送信される例について説明したが、これに限らず、収集された遊技データを場内コンピュータ３０において集計せずに集計コンピュータ４０に対して送信するようにしても良い。また店舗内端末がそれぞれ個別のＩＰアドレスを有し、集計コンピュータ４０がインターネット２を介して該店舗内端末に直接アクセスして遊技データを収集するように構成しても良い。
【０１１６】
上記の実施形態では、場内コンピュータ３０から集計コンピュータ４０に対する遊技データの送信が、所定のタイミング（例えば１時間毎）に自動的に行われる例について説明したが、これに限らず、集計コンピュータ４０からの要求に応じて遊技データの送信が行われるようにしても良い。同様に、上記の実施形態では、集計コンピュータ４０から場内コンピュータ３０に対する集計データの送信も、所定のタイミング（例えば１時間毎）に自動的に行われる例について説明したが、これに限らず、場内コンピュータ３０からの要求に応じて集計データの送信が行われるようにしても良い。
【０１１７】
上記の実施形態では、図５に示すように、営業機器グループとして遊技島が設定される例について説明したが、これに限らず、該営業機器グループとして、パチンコ機Ｐのタイプや機種も設定されるようにしても良い。また図５に示すように、集計コンピュータ４０のディスプレイ４３及び入力装置４４により営業機器グループの設定が行われるものには限られず、場内コンピュータ３０において営業機器グループの設定が行われ、該設定が集計コンピュータ４０に対して送信されて、集計コンピュータ４０において設定されるようにしても良い。
【０１１８】
上記の実施形態では、集計処理手段（制御部４２）により集計処理された各遊技場の集計データ（図１２を参照）が、集計データ配信手段である通信部４１によって当該遊技場に設置されている場内コンピュータ３０に対して配信されることにより、「当該遊技場の関係者が閲覧できるように配信」される例について説明したが、これに限らず、「当該遊技場の関係者が閲覧できるように配信」とは、例えば各遊技場の集計データをウェブサーバ５０に配信し、該ウェブサーバ５０にアクセスした遊技場の関係者が閲覧できるようにするものであっても良く、また各遊技場の集計データを遊技場の関係者宛に電子メールで送信するものであっても良い。
【０１１９】
上記の実施形態では、集計処理手段（制御部４２）によりグループ化集計処理された各遊技場グループの集計データ（図１３を参照）が、集計データ配信手段である通信部４１によってチェーン店本部６０に対して配信される例について説明したが、これに限らず、例えば各遊技場グループの集計データをウェブサーバ５０に配信し、該ウェブサーバ５０にアクセスしたチェーン店本部６０の関係者が閲覧できるようにするものであっても良く、また各遊技場グループの集計データをチェーン店本部６０の関係者宛に電子メールで送信するものであっても良い。
【０１２０】
上記の実施形態では、図１２に示すように、場内コンピュータ３０において、集計データが帳票形式で出力される例について説明したが、これに限らず、該集計データをグラフ形式に加工して出力するようにしても良い。
【０１２１】
上記の実施形態では、図１２〜図１４に示すように、集計データや公開許容データが本日のデータである例について説明したが、これに限らず、該集計データや公開許容データは、過去のデータや複数日分のデータ（例えば週間データや月間データ）であっても良い。
【０１２２】
上記の実施形態では、図１４に示すように、遊技者が操作可能なパソコン３ａ又は携帯端末３ｂで公開許容データが表示される例について説明したが、これに限らず、例えば遊技場内に設けられ遊技者が操作可能な端末（前記玉貸ユニットＵやキオスク端末等）で公開許容データが表示されるようにしても良い。
【０１２３】
上記の実施形態では、集計コンピュータ４０において図１４に示すウェブページが作成される例について説明したが、これに限らず、集計コンピュータ４０からウェブサーバ５０に対して公開許容データを送信し、該送信されてきた公開許容データに基づいてウェブサーバ５０においてウェブページが作成されるものであっても良い。
【０１２４】
上記の店舗データ集計システム１において、各遊技場に対して集計する遊技データの量や項目の量に応じて当該遊技場に課金をするように構成しても良く、またウェブページにおける公開許容データの公開を選択した遊技場に課金をするように構成しても良い。
【図面の簡単な説明】
【０１２５】
【図１】図１は本発明に係る店舗データ集計システムの一例を表す機能ブロック図である。
【図２】図２は場内コンピュータにおいて収集される遊技データの一例を表す図である。
【図３】図３は集計コンピュータにおいて集計処理される集計データの一例を表す図である。
【図４】図４は図３に続く図である。
【図５】図５は集計コンピュータのディスプレイに表示される遊技機設定画面の一例を表す図である。
【図６】図６は集計コンピュータのディスプレイに表示される台別集計データ設定画面の一例を表す図である。
【図７】図７は集計コンピュータのディスプレイに表示される島別集計データ設定画面の一例を表す図である。
【図８】図８は集計コンピュータのディスプレイに表示される全体集計データ設定画面の一例を表す図である。
【図９】図９は集計コンピュータのディスプレイに表示される遊技場グループ設定画面の一例を表す図である。
【図１０】図１０は集計コンピュータのディスプレイに表示される遊技場グループ別集計データ設定画面の一例を表す図である。
【図１１】図１１は集計コンピュータのハードディスクに記憶される遊技場別集計データ設定一覧の一例を表す図であり、（ａ）は台別集計データ，（ｂ）は島別集計データ，（ｃ）は全体集計データである。
【図１２】図１２は遊技場関係者に配信される集計データの帳票の一例を表す図であり、（ａ）は台別集計データ，（ｂ）は島別集計データ，（ｃ）は全体集計データである。
【図１３】図１３はチェーン店本部に配信される遊技場グループ別集計データの帳票の一例を表す図である。
【図１４】図１４は遊技者が操作可能なパソコン又は携帯端末のディスプレイに表示される画面の一例を表す図である。
【符号の説明】
【０１２６】
１…店舗データ集計システム
１０…台端末
２０…中継コンピュータ
３０…場内コンピュータ
４０…集計コンピュータ
４１…通信部
４２…制御部
４３…ディスプレイ
４４…入力装置
５０…ウェブサーバ
６０…チェーン店本部
Ｐ…パチンコ機
Ｕ…玉貸ユニット
【図１】
2005339280.tif 000003
【図２】
2005339280.tif 000004
【図３】
2005339280.tif 000005
【図４】
2005339280.tif 000006
【図５】
2005339280.tif 000007
【図６】
2005339280.tif 000008
【図７】
2005339280.tif 000009
【図８】
2005339280.tif 000010
【図９】
2005339280.tif 000011
【図１０】
2005339280.tif 000012
【図１１】
2005339280.tif 000013
【図１２】
2005339280.tif 000014
【図１３】
2005339280.tif 000015
【図１４】
2005339280.tif 000016